(57)【特許請求の範囲】
【請求項１】
消防用工具が取出し可能に格納された消防用工具格納箱であって、
直方体形状を有し、前面に開口が設けられ、立てた状態で設置可能な工具格納箱本体と、
該工具格納箱本体の前記前面開口を開閉する開閉扉と、
雄表面と雌表面とを有し、前記工具格納箱本体又は前記開閉扉の内面に取付けられ、前記工具を巻き込んだ状態で前記雄表面と雌表面をクロスさせることにより取付け可能な接着布と、
前記工具格納箱本体の底部側に設けられ、該工具格納箱本体を背面側に斜めに倒した状態で該工具格納箱本体を支持して前後方向に転動可能な一対の固定車輪と、
前記工具格納箱本体の天面部に取付けられ、該工具格納箱本体を前記背面側に斜めに倒して前記一対の固定車輪により支持された状態で把持可能な取手とを備え、
前記工具格納箱本体内には、底部のホース格納室に消防ホースが取出し可能に格納されるとともに、前記ホース格納室の上部に消防ポンプが、前記前面開口から外部にスライド自在なスライドレールに載置されることにより取出し可能に格納されていることを特徴とする搬送式消防用工具格納箱。
【発明の詳細な説明】
【０００１】
【発明の属する技術分野】
この発明は、例えば消防用、救命用等の工具を格納する工具格納箱に関するものである。
【０００２】
【従来の技術】
従来は火災や震災等の場合に、消防隊員や救命隊員は消防用工具や救命用工具を例えば、自治会、集会所、工場、作業所、一般可燃物取扱所、マンンション、ホテル、デパ−ト、避難指定場所等の保存場所から災害現場まで持っていくのに、人が箱に詰めて運んだり、車に積んで運んだりしていた。
【０００３】
【発明が解決しようとする課題】
しかしながら、箱に詰めて人が運ぶときは、箱に色々な工具を入れると重くなるため、一人では運ぶことが出来ないことがあった。
【０００４】
また、車で運ぶときは、火災現場、震災現場等の災害現場に車が入れないときにはその手前から人が工具を手に持ってバラバラに現場に運ぶため、工具を迅速に運べないという問題点があった。
【０００５】
そこで、この発明は、火災や震災等の災害の場合に、消防隊員や救命隊員が消防用工具や救命用工具を保存場所から災害現場まで一人で簡単に運べるようにした工具格納箱を提供することを課題としている。
【０００６】
【課題を解決するための手段】
かかる課題を解決するために、請求項１に記載の発明は、消防用工具が取出し可能に格納された消防用工具格納箱であって、直方体形状を有し、前面に開口が設けられ、立てた状態で設置可能な工具格納箱本体と、該工具格納箱本体の前記前面開口を開閉する開閉扉と、雄表面と雌表面とを有し、前記工具格納箱本体又は前記開閉扉の内面に取付けられ、前記工具を巻き込んだ状態で前記雄表面と雌表面をクロスさせることにより取付け可能な接着布と、前記工具格納箱本体の底部側に設けられ、該工具格納箱本体を背面側に斜めに倒した状態で該工具格納箱本体を支持して前後方向に転動可能な一対の固定車輪と、前記工具格納箱本体の天面部に取付けられ、該工具格納箱本体を前記背面側に斜めに倒して前記一対の固定車輪により支持された状態で把持可能な取手とを備え、前記工具格納箱本体内には、底部のホース格納室に消防ホースが取出し可能に格納されるとともに、前記ホース格納室の上部に消防ポンプが、前記前面開口から外部にスライド自在なスライドレールに載置されることにより取出し可能に格納されていることを特徴とする。
【０００９】
【発明の実施の形態】
以下、この発明の実施の形態について説明する。
【００１０】
［発明の実施の形態１］
図１は本発明の実施形態１に係る消防ポンプ格納箱の正面図、図２は同消防ポンプ格納箱の右側面図、図３は同消防ポンプ格納箱の背面図、図４は同消防ポンプ格納箱の平面図、図５は同消防ポンプ格納箱の底面図、図６は同消防ポンプ格納箱の扉を開いた状態を示す正面図、図７は同消防ポンプ格納箱に取り付けられた接着布を示す正面図、図８は同消防ポンプ格納箱に取り付けられた接着布を示す平面図、図９は同接着布により工具を取り付けた状態を示す説明図である。
【００１１】
図において、１は例えば高さが１１５０ｍｍ、幅が５００ｍｍ、奥行が５５０ｍｍで、縦長の四角い消防ポンプ格納箱本体で、その天面部１ａは背面側が高くなるように傾斜している。２は消防ポンプ格納箱本体１に蝶番３で取り付けられ、消防ポンプ格納箱本体１の前面開口を閉止する開閉扉である。
【００１２】
４は消防ポンプ格納箱本体１の天面部１ａの背面側に取り付けられたステンレス製の取手、５は消防ポンプ格納箱本体１の底面部１ｂの前面側の両側にそれぞれ取り付けられたゴム脚、６は消防ポンプ格納箱本体１の両側面の底部寄りにそれぞれ取り付けられた一対の車輪である。
【００１３】
７は開閉扉２の側部よりに設けられた閉止ハンドル、８は開閉扉２の下部に設けられた６つの空気抜穴、９は消防ポンプ格納箱本体１の背面の上部に設けられた６つの空気抜穴である。
【００１４】
１０は消防ポンプ格納箱本体１の内部で、底部より所定高さに設けられた逆Ｌ字状の仕切り板、１１は仕切り板１０の水平部の両側にそれぞれ設けられたスライドレール、１２は消防ポンプ格納箱本体１の底部と仕切り板１０とに区画されて形成されたホース格納室、１３はホース格納室１２に格納された重量のある消防ホース、１４はスライドレール１１にスライド自在の取り付けられたポンプ支持脚台、１５はポンプ支持脚台１４に載置された消防ポンプ、１６は仕切り板１０の水平部に設けられ、ポンプ支持脚台１４のスライドを防止するストッパ−である。
【００１５】
２０は消防ポンプ格納箱本体１及び開閉扉２の内面に多数取り付けられた接着布で形成された工具取付部材である一対の接着布である。この一対の接着布２０はその端部がそれぞれステンレス製の座金２１を介してブラインドリベット２２で回転自在に消防ポンプ格納箱本体１及び開閉扉２の内面に取り付けられている。そして、一方の接着布２０は雌表面が表に現れるように取り付けられており、他方の接着布２０は雄表面が表に現れるように取り付けられている。
【００１６】
このような工具取付部材である一対の接着布２０で取り付けられる工具は、図６に示すように、消防ポンプ格納箱本体１内における上部に設けられた混合器２５と、側部に設けられたサクションホ−ス２６と、扉２に設けられた管鎗２７と噴霧ノズル２８とキ−ハンドル２９とである。
【００１７】
この一対の接着布２０による工具の取り付けは、工具をそれぞれの接着布２０で巻き込み、一方の接着布２０の自由端側の雄表面と他方の接着布２０の自由端側の雌表面とをクロスさせて接着するようにして取り付けている。このように接着布２０の自由端側をクロスさせているのは、工具の取り外しを容易にするためである。
【００１８】
次に、この発明の実施の形態１の消防ポンプ格納箱の使用方法について説明する。
【００１９】
この消防ポンプ格納箱は、所定の保存場所に設置されている。
【００２０】
その保存場所の近辺で火災が発生したときに、消防隊員は消火のために、火災現場まで消防ポンプ格納箱を運ばなければならないが、その消防ポンプ格納箱内には消防ポンプや消火ホース、工具等が格納されているために重い。
【００２１】
そこで、消防ポンプ格納箱本体１の底部に設けられた２つのゴム脚５と消防ポンプ格納箱本体１の両側面の底部寄りに取り付けられた一対の車輪６とにより直立して設置されている消防ポンプ格納箱本体１の天面部１ａに取り付けられた取手４を持って、消防ポンプ格納箱本体１を斜めに倒して車輪６で支持させ、取手４を押して一対の車輪６を転動させ、消防ポンプ格納箱本体１を走行させる。
【００２２】
このとき、消防ポンプ格納箱本体１内には一番重い消防ホース１３が底部にあり、その次に重い消防ポンプ１５がその上に配置されて下部に重心があるから、取手４には不必要な力がかからないために走行が安定し、消防ポンプ格納箱本体１を火災現場近くまで容易且つ迅速に運搬できることになる。なお、火災現場近くの所定の場所にきたら、取手４を持って消防ポンプ格納箱本体１を再び直立させる。
【００２３】
また、操作しにくい消防ホース１３が直立した消防ポンプ格納箱本体１の底部にあるから、消防ホース１３が消防ポンプ格納箱本体１から取り出し易い。
【００２４】
更に、消防ポンプ１５が載置されているポンプ支持脚台１４は仕切板１０に設けられたスライドレール１１にスライド自在あるから、ストッパー１６を外してポンプ支持脚台１４をスライドさせることにより、消防ポンプ１５を消防ポンプ格納箱本体１内から外部に取り出すことが容易となる。
【００２５】
更にまた、消防に必要な工具は全て一対の接着布２０によって取り付け固定されているから、一対の接着布２０を引っ張ることによってワンタッチで工具の取り付け固定が解除され、消防ポンプ格納箱本体１内から混合器２５やサクションホ−ス２６を、開閉扉２からは管鎗２７や噴霧ノズル２８やキ−ハンドル２９を外部に取り出すことが容易となる。
【００４５】
【発明の効果】
以上説明してきたように、請求項１に記載の搬送式消防用工具格納箱によれば、開閉扉を有し、内部に各種の工具を格納できる工具格納箱本体の底部側に、工具格納箱本体を背面側に斜めに倒した状態で支持して転動可能な一対の車輪を設け、工具格納箱本体の天面部に、該工具格納箱本体を背面側に斜めに倒して一対の車輪により支持された状態で把持可能な取手を設けているので、工具格納箱を必要とする場所まで運搬しなければならない場合に、工具格納箱が重くても直立して設置されている天面部に取り付けられた取手を持って、斜めに倒して車輪で支持させ、取手を押して一対の車輪を転動させ、工具格納箱本体を走行させることにより、工具格納箱を容易かつ迅速に運搬することができるという効果を有する。
【００４６】
しかも、請求項１に記載の搬送式消防用工具格納箱によれば、一番重い消防ホースが工具格納箱本体の底部に配置されて、下部に重心があるため、取手には不必要な力がかからないために走行が安定し、容易に且つ迅速に運搬できる。
【図面の簡単な説明】
【図１】本発明の実施形態１に係る震災対策用可搬式消防ポンプ格納箱の正面図である。
【図２】同消防ポンプ格納箱の右側面図である。
【図３】同消防ポンプ格納箱の背面図である。
【図４】同消防ポンプ格納箱の平面図である。
【図５】同消防ポンプ格納箱の底面図である。
【図６】同消防ポンプ格納箱の扉を開いた状態を示す正面図である。
【図７】同消防ポンプ格納箱に取り付けられた接着布を示す正面図である。
【図８】同消防ポンプ格納箱に取り付けられた接着布を示す平面図である。
【図９】同接着布により工具を取り付けた状態を示す説明図である。
【符号の説明】
１  消防ポンプ格納箱本体
２  開閉扉
４  取手
６  車輪
１３  消防ホース
１５  消防ポンプ
２０  一対の接着布
【図１】
0003591683.tif 000002
【図２】
0003591683.tif 000003
【図３】
0003591683.tif 000004
【図４】
0003591683.tif 000005
【図５】
0003591683.tif 000006
【図６】
0003591683.tif 000007
【図７】
0003591683.tif 000008
【図８】
0003591683.tif 000009
【図９】
0003591683.tif 000010